(57)【特許請求の範囲】
【請求項１】
基礎や柱・梁等を含んでなる建物躯体における出隅コーナー部に、断面略Ｌ字状に形成されたコーナー用外壁材を取り付けるための外壁ブラケットにおいて、
前記出隅コーナー部に位置する柱を除く前記建物躯体に取り付けられる躯体取付部と、
前記躯体取付部の外側端部に、上方に突出して設けられるとともに前記建物躯体から離間した位置に配置される立ち上がり部と、
前記立ち上がり部の上端部に設けられるとともに前記コーナー用外壁材の下端面に固定される第一固定部と、を備えることを特徴とする外壁ブラケット。
【請求項２】
請求項１に記載の外壁ブラケットにおいて、
前記コーナー用外壁材の下端面のうち前記建物躯体側に、下方に向かって開口するとともに前記建物躯体側に開口する凹部が形成されており、
前記第一固定部は、前記凹部における上面に対して固定されることを特徴とする外壁ブラケット。
【請求項３】
請求項１または２に記載の外壁ブラケットにおいて、
前記躯体取付部は、前記出隅コーナー部に位置する前記建物躯体の芯線に向かって延出する延出部を有し、当該延出部が前記建物躯体に固定されることを特徴とする外壁ブラケット。
【請求項４】
請求項１〜３のいずれか一項に記載の外壁ブラケットにおいて、
前記立ち上がり部は、前記コーナー用外壁材の下端部に設けられる水切り部材を取り付けるための取付下地を有することを特徴とする外壁ブラケット。
【請求項５】
請求項１〜３のいずれか一項に記載の外壁ブラケットにおいて、
前記第一固定部の下方に設けられ、かつ下階側に位置する前記コーナー用外壁材の上端面に固定される第二固定部を備えることを特徴とする外壁ブラケット。
【請求項６】
請求項１〜４のいずれか一項に記載の外壁ブラケットは、前記建物躯体のうち、基礎の上面に対して取り付けられており、
前記第一固定部は、下階側に位置する前記コーナー用外壁材の下端面に固定され、当該下階側のコーナー用外壁材を下方から支持することを特徴とするコーナー用外壁材の取付構造。
【請求項７】
請求項１〜３および請求項５のいずれか一項に記載の外壁ブラケットは、前記建物躯体のうち、下階側に立設される複数の柱の上端部に設けられる天井梁に対して取り付けられており、
前記第一固定部は、上階側に位置する前記コーナー用外壁材の下端面に固定され、当該上階側のコーナー用外壁材を下方から支持することを特徴とするコーナー用外壁材の取付構造。
【発明の詳細な説明】
【技術分野】
【０００１】
本発明は、外壁ブラケットおよびコーナー用外壁材の取付構造に関する。
【背景技術】
【０００２】
特許文献１には、パネル成形体と、パネル成形体の内側に設けられる下地鉄板と、パネル成形体に埋め込まれるとともに下地鉄板が設けられて、これらパネル成形体と下地鉄板との間に介在するアンカー部材と、を有する出隅用外壁パネル（以下、コーナー用外壁材）が開示されている。
【先行技術文献】
【特許文献】
【０００３】
【特許文献１】特開２００９−２４９８８１号公報
【発明の概要】
【発明が解決しようとする課題】
【０００４】
ところで、従来のコーナー用外壁材は、パネル成形体および下地鉄板が出隅コーナー部に位置する柱に沿って長尺に形成され、下地鉄板に備えられた柱取付部を介して出隅コーナー部の柱の側面に取り付けられる。したがって、この柱は、上階または屋根等の上部構造と、パネル成形体および下地鉄板の双方の荷重を支えることになる。しかしながら、このように方向の異なる複数の荷重を受ければ、当然、柱にかかる負担が大きくなるため、負担を軽減したいという要望があった。
併せて、耐火被覆材を柱の周囲に取り付けて耐火性能を向上させたいという要望があるが、柱の側面には、その長さ方向に沿って下地鉄板の柱取付部が取り付けられて接触している。そのため、柱取付部が取り付けられた部位を避けて耐火被覆材を取り付けなければならず、耐火被覆材を取り付けにくい場合があった。
【０００５】
本発明の課題は、柱にかかる負担を軽減できるとともに、耐火被覆材を取り付けやすい外壁ブラケットおよびコーナー用外壁材の取付構造を提供することを目的とする。
【課題を解決するための手段】
【０００６】
請求項１に記載の発明は、例えば図１〜図９に示すように、基礎２や柱３・梁４等を含んでなる建物躯体における出隅コーナー部１に、断面略Ｌ字状に形成されたコーナー用外壁材５，６を取り付けるための外壁ブラケット１０，２０において、
前記出隅コーナー部１に位置する柱３を除く前記建物躯体に取り付けられる躯体取付部１１，２１と、
前記躯体取付部１１，２１の外側端部に、上方に突出して設けられるとともに前記建物躯体から離間した位置に配置される立ち上がり部１２，２２と、
前記立ち上がり部１２，２２の上端部に設けられるとともに前記コーナー用外壁材５，６の下端面に固定される第一固定部１３，２３と、を備えることを特徴とする。
【０００７】
請求項１に記載の発明によれば、躯体取付部１１，２１が、出隅コーナー部１に位置する柱３を除く建物躯体に取り付けられて、第一固定部１３，２３がコーナー用外壁材５，６の下端面に固定されるので、コーナー用外壁材５，６の少なくとも下端部は、出隅コーナー部１に位置する柱３の側面には設けられないことになる。これによって、出隅コーナー部１に位置する柱３における下端部の側面は、コーナー用外壁材５，６の荷重を受けずに済むので、当該柱３にかかる負担を軽減することができる。
さらに、立ち上がり部１２，２２が、躯体取付部１１，２１の外側端部に、上方に突出して設けられるとともに建物躯体から離間した位置に配置され、この立ち上がり部１２，２２の上端部に第一固定部１３，２３が設けられるので、コーナー用外壁材５，６を建物躯体から離間させて配置することが可能となる。これによって、コーナー用外壁材５，６と建物躯体との間に隙間Ｓ１を確保でき、この隙間Ｓ１を利用すれば、耐火被覆材を取り付けやすくなる。
また、第一固定部１３，２３が立ち上がり部１２，２２の上端部に設けられるので、コーナー用外壁材５，６の下端部を、躯体取付部１１，２１よりも上方に配置できる。そのため、コーナー用外壁材５，６の下端部を、躯体取付部１１，２１が取り付けられた箇所よりも高い位置に配置できる。これによって、例えば、コーナー用外壁材５，６の下端面の下方に、第一固定部１３，２３を固定する作業を行うための空間（隙間Ｓ２）を確保することができるので、コーナー用外壁材５，６の取付作業を容易に行うことができる。さらに、当該空間を利用して、コーナー用外壁材５，６の下端部に、例えば水切り部材等の付属部材を容易に取り付けることができる。
【０００８】
請求項２に記載の発明は、例えば図３〜図６に示すように、請求項１に記載の外壁ブラケット１０，２０において、
前記コーナー用外壁材５，６の下端面のうち前記建物躯体側に、下方に向かって開口するとともに前記建物躯体側に開口する凹部５ａ，６ａが形成されており、
前記第一固定部１３，２３は、前記凹部５ａ，６ａにおける上面５ｂ，６ｂに対して固定されることを特徴とする。
【０００９】
請求項２に記載の発明によれば、第一固定部１３，２３は、コーナー用外壁材５，６の下端面のうち建物躯体側に、下方に向かって開口するとともに建物躯体側に開口する凹部５ａ，６ａにおける上面５ｂ，６ｂに対して固定されるので、外壁ブラケット１０，２０のうち少なくとも第一固定部１３，２３を凹部５ａ，６ａ内に収容できる。これによって、外壁ブラケット１０，２０のうち少なくとも第一固定部１３，２３を、外側から見えないように隠すことができるので、見映えが良い。
【００１０】
請求項３に記載の発明は、例えば図２〜図６に示すように、請求項１または２に記載の外壁ブラケット１０，２０において、
前記躯体取付部１１，２１は、前記出隅コーナー部１に位置する前記建物躯体の芯線Ｃに向かって延出する延出部１１ａ，２１ａを有し、当該延出部１１ａ，２１ａが前記建物躯体に固定されることを特徴とする。
【００１１】
請求項３に記載の発明によれば、躯体取付部１１，２１は、出隅コーナー部１に位置する建物躯体の芯線Ｃに向かって延出する延出部１１ａ，２１ａを有し、当該延出部１１ａ，２１ａが建物躯体に固定されるので、延出部１１ａ，２１ａは建物内部側に極力近づいた状態となっており、建物内部側から延出部１１ａ，２１ａの固定作業を行いやすい。また、例えば、予め第一固定部１３，２３が下端面に固定された状態のコーナー用外壁材５，６を、建物内部側から施工することも可能となり、施工性に優れる。
【００１２】
請求項４に記載の発明は、例えば図３，図４に示すように、請求項１〜３のいずれか一項に記載の外壁ブラケット１０において、
前記立ち上がり部１２は、前記コーナー用外壁材５の下端部に設けられる水切り部材を取り付けるための取付下地１２ａを有することを特徴とする。
【００１３】
請求項４に記載の発明によれば、立ち上がり部１２は、コーナー用外壁材５の下端部に設けられる水切り部材を取り付けるための取付下地１２ａを有するので、コーナー用外壁材５の下端部に水切り部材を確実に設けることができる。
【００１４】
請求項５に記載の発明は、例えば図１，図５〜図７に示すように、請求項１〜３のいずれか一項に記載の外壁ブラケット２０において、
前記第一固定部２３の下方に設けられ、かつ下階側に位置する前記コーナー用外壁材５の上端面に固定される第二固定部２４を備えることを特徴とする。
【００１５】
請求項５に記載の発明によれば、外壁ブラケット２０が、第一固定部２３の下方に設けられ、かつ下階側に位置するコーナー用外壁材５の上端面に固定される第二固定部２４を備えるので、建物が複数階建てである場合に、第一固定部２３を上階側に位置するコーナー用外壁材６の下端面に固定でき、第二固定部２４を下階側に位置するコーナー用外壁材５の上端面に固定できる。したがって、上下階方向に隣り合うコーナー用外壁材５，６間に、下階側に位置するコーナー用外壁材５のための別の外壁ブラケットを用意する必要がない。すなわち、一つの外壁ブラケット２０を上下階側のそれぞれのコーナー用外壁材５，６に対応させることができるので、利便性に優れ、コストの低減を図ることができる。
また、第二固定部２４は、第一固定部２３の下方に設けられるので、第一固定部２３と共に、コーナー用外壁材５，６を建物躯体から離間させて配置することが可能となる。
【００１６】
請求項６に記載の発明は、例えば図１，図３，図４に示すように、請求項１〜４のいずれか一項に記載の外壁ブラケット１０は、前記建物躯体のうち、基礎２の上面に対して取り付けられており、
前記第一固定部１３は、下階側に位置する前記コーナー用外壁材５の下端面に固定され、当該下階側のコーナー用外壁材５を下方から支持することを特徴とする。
【００１７】
請求項６に記載の発明によれば、外壁ブラケット１０は、基礎２の上面に対して取り付けられており、第一固定部１３は、下階側に位置するコーナー用外壁材５の下端面に固定され、当該下階側のコーナー用外壁材５を下方から支持するので、下階（建物一階）に位置するコーナー用外壁材５の下端部を、外壁ブラケット１０を介して基礎２に確実に取り付けることができる。
【００１８】
請求項７に記載の発明は、例えば図１，図５，図６に示すように、請求項１〜３および請求項５のいずれか一項に記載の外壁ブラケット２０は、前記建物躯体のうち、下階側に立設される複数の柱３の上端部に設けられる天井梁４に対して取り付けられており、
前記第一固定部２３は、上階側に位置する前記コーナー用外壁材６の下端面に固定され、当該上階側のコーナー用外壁材６を下方から支持することを特徴とする。
【００１９】
請求項７に記載の発明によれば、外壁ブラケット２０は、建物躯体のうち、下階側に立設される複数の柱３の上端部に設けられる天井梁４に対して取り付けられており、第一固定部２３は、上階側に位置するコーナー用外壁材６の下端面に固定され、当該上階側のコーナー用外壁材６を下方から支持するので、上階側に位置するコーナー用外壁材６の下端部を、外壁ブラケット２０を介して天井梁４に確実に取り付けることができる。
【発明の効果】
【００２０】
本発明によれば、柱にかかる負担を軽減できるとともに、耐火被覆材を取り付けやすくなる。
【図面の簡単な説明】
【００２１】
【図１】コーナー用外壁材が外壁ブラケットを介して建物躯体に取り付けられた状態を示す斜視図である、
【図２】第一外壁ブラケットを示す斜視図である。
【図３】第一外壁ブラケットが基礎に取り付けられた状態を示す平面図である。
【図４】第一外壁ブラケットが基礎に取り付けられた状態を示す側面図である。
【図５】第二外壁ブラケットが天井梁に取り付けられた状態を示す平面図である。
【図６】第二外壁ブラケットが天井梁に取り付けられた状態を示す側面図である。
【図７】下階側に位置するコーナー用外壁材の上端面に第二固定部が固定された状態を示す断面図である。
【図８】第三外壁ブラケットが天井梁に取り付けられた状態を示す平面図である。
【図９】第三外壁ブラケットが天井梁に取り付けられた状態を示す平面図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
図１において符号１は、出隅コーナー部を示す。出隅コーナー部１は、屋外側から見た場合に、住宅等の建物における二つの外壁が交差方向に配置された部分を指している。そして、この出隅コーナー部１は、建物躯体に、コーナー用外壁材５，６が取り付けられることによって形成されている。
また、建物が複数階建てである場合には、下階側に位置するコーナー用外壁材５と、上階側に位置するコーナー用外壁材６とが、上下階方向に隣り合って設けられる。なお、本実施形態の建物は二階建てとされている。
【００２４】
コーナー用外壁材５，６は、出隅コーナー部１に対応して断面略Ｌ字状（くの字状）に形成されている。すなわち、図１に示すｘ方向とｙ方向に延在するように形成されている。なお、コーナー用外壁材５，６のｘ方向とｙ方向の長さは等しい。
また、コーナー用外壁材５，６の側方には、平板状の外壁材７，８が、当該コーナー用外壁材５，６の左右の延在方向（ｘ方向、ｙ方向）に位置するようにして設けられている。
【００２５】
建物は、本実施形態においては鉄骨軸組構造が採用されており、その建物躯体は、図１，図３〜図６に示すように、基礎２や柱３・梁４を含んでなる。そして、建物の外壁は、このような基礎２や柱３・梁４を含んでなる建物躯体に対して、上述したコーナー用外壁材５，６や平板状の外壁材７，８が取り付けられることによって構成されている。
【００２６】
基礎２は鉄筋コンクリート（ＲＣ：Reinforced-Concrete）やプレキャストコンクリート（ＰＣａ：precast concrete）によって構築されており、基礎２上に設けられる軸組が鉄骨（軽量鉄骨）によって構成されている。
また、基礎２は、図１，図３に示すように、出隅コーナー部１に対応して断面略Ｌ字状（くの字状）に形成された立ち上がりを有するものであり、例えば布基礎やべた基礎が採用されている。
基礎２のうち、柱３が設けられる位置には、柱３を基礎２上に立設させるためのアンカーボルト２ａが、その上端部が突出するようにして埋め込まれている。
【００２７】
柱３は、鋼製の角筒状に形成されており、階高に応じた高さに設定されている。
柱３の下端部には、図３，図４に示すように、基礎２の上面に載置されるベースプレート３ａが設けられている。ベースプレート３ａは、その中心が、建物躯体（ここでは基礎２）の芯線Ｃ上と重なるようにして、基礎２の上面に載置されている。
なお、芯線Ｃは、建物の外周において建物躯体の中心を表す仮想的な線であり、図３に示す例では、建物躯体である基礎２の、直交する二方向（ｘ方向、ｙ方向）に芯線Ｃ，Ｃが表されている。柱３は、芯線Ｃ，Ｃの交差する位置に立設されている。
【００２８】
ベースプレート３ａには、建物躯体の芯線Ｃ上に位置するとともにアンカーボルト２ａが通される二つの貫通孔（図示せず）と、これら貫通孔の両脇に位置する複数のネジ孔３ｂと、が形成されている。複数のネジ孔３ｂは、二つの貫通孔の両脇（芯線Ｃ，Ｃと直交する方向）に形成されるため、ベースプレート３ａに対して合計四つ形成されている。
複数のネジ孔３ｂは、当該ネジ孔３ｂにねじ込まれるボルト３ｃ（後述する）に対応した螺子溝が形成されている。
二つの貫通孔は、ベースプレート３ａのうち芯線Ｃ，Ｃ上に位置する部位に、対称的な位置関係で形成されている。また、アンカーボルト２ａの位置もこれに対応している。
【００２９】
このようなベースプレート３ａは、柱３の下端部に対して溶接されるとともに、アンカーボルト２ａを介して基礎２と一体的に設けられている。そのため、このベースプレート３ａは、基礎２や柱３と共に建物躯体の一部として機能している。
【００３０】
梁４は、基礎２上に間隔を空けて配置される複数の柱３の上端部間に架設される天井梁４を指している。また、この梁４には、Ｈ形鋼またはＩ形鋼等の鋼材が採用されている。
天井梁４には、図５，図６に示すように、建物の外周に沿って配置される外周用のものと、当該外周に沿う天井梁４と交差して建物内部側に延在する建物内部用のものと、がある。
出隅コーナー部１においては、外周用の天井梁４と建物内部用の天井梁４とが直交する二方向（ｘ方向、ｙ方向）に配置されている。そして、これら外周用の天井梁４と建物内部用の天井梁４は、双方のウェブ同士が連結部材（図示せず）によって連結されている。
なお、天井梁４のフランジには、当該天井梁４の長さ方向に間隔を空けて複数の貫通孔４ａが形成されている。
図５に示す例では、建物躯体である天井梁４，４の、直交する二方向（ｘ方向、ｙ方向）に芯線Ｃ，Ｃが表されている。なお、当該芯線Ｃ，Ｃと、図３に表された芯線Ｃ，Ｃは、同一鉛直面上に配置されている。
【００３１】
そして、コーナー用外壁材５，６は、図１〜図７に示すように、第一外壁ブラケット１０および第二外壁ブラケット２０を介して、建物躯体における出隅コーナー部１に取り付けられている。
これら第一外壁ブラケット１０および第二外壁ブラケット２０は、コーナー用外壁材５，６を出隅コーナー部１に取り付けるためのものである。そのため、全体として略Ｌ字状に形成されている。
【００３２】
まず、第一外壁ブラケット１０の詳細について説明する。
第一外壁ブラケット１０は、図１に示すように、特に、建物一階のコーナー用外壁材５の下端部を出隅コーナー部１に取り付けるためのものである。したがって、この第一外壁ブラケット１０は、コーナー用外壁材５の下端部の位置に対応して配置されている。
また、第一外壁ブラケット１０は、金属製であり、躯体取付部１１と、立ち上がり部１２と、第一固定部１３と、を備える。
【００３３】
躯体取付部１１は、図２，図３に示すように、平面視において略Ｌ字状に形成された板状体である。そして、この躯体取付部１１は、出隅コーナー部１に位置する柱３を除く建物躯体に取り付けられている。
より詳細に説明すると、躯体取付部１１は、ｘ方向とｙ方向に延在する平面視Ｌ字状の本体部と、この本体部のｘ方向側端部およびｙ方向側端部のそれぞれから、出隅コーナー部１に位置する建物躯体（すなわち、基礎２）の芯線Ｃ，Ｃに向かって延出する延出部１１ａと、を有する。
延出部１１ａは建物躯体に固定されるものであり、本実施形態では、アンカーボルト２ａを介して基礎２と一体的に設けられたベースプレート３ａに対して固定される。
延出部１１ａには、当該延出部１１ａを厚さ方向に貫通する孔部１１ｂが形成されている。これら孔部１１ｂが形成された位置は、ベースプレート３ａに形成された複数のネジ孔３ｂのうち、屋外側に配置された二つのネジ孔３ｂの位置と合致する。そして、ボルト３ｃが、延出部１１ａの孔部１１ｂに通されるとともに、ベースプレート３ａのネジ孔３ｂにねじ込まれることで、延出部１１ａがベースプレート３ａに固定される。
【００３４】
立ち上がり部１２は、図２，図３に示すように、平面視においてアングル状に形成された板状体であり、躯体取付部１１の外側端部に、上方に突出して設けられるとともに建物躯体から離間した位置に配置されている。
より詳細に説明すると、立ち上がり部１２は、躯体取付部１１における出隅部分の縁部に一体形成されている。また、立ち上がり部１２のｘ方向およびｙ方向の長さは、躯体取付部１１の本体部におけるｘ方向およびｙ方向の長さよりも短く設定されている。換言すれば、躯体取付部１１の本体部は、立ち上がり部１２よりもｘ方向およびｙ方向に長く形成されている。
さらに、立ち上がり部１２は、上述のように躯体取付部１１における出隅部分の縁部に一体形成されているため、柱３の側面から離間した位置に配置されている。ここで、コーナー用外壁材５の内側面（コーナー用外壁材５の入隅部分を形成する面）は、図３に示すように、立ち上がり部１２を柱３側に越えないように構成されている。そのため、コーナー用外壁材５の内側面と柱３との間に、隙間Ｓ１を形成することができる。このような隙間Ｓ１には、柱３を全周に亘って被覆する耐火被覆材を設けるために利用することができる。
また、立ち上がり部１２の高さは、コーナー用外壁材５の下端部に、後述する水切り部材（図示せず）を取付可能な隙間Ｓ２（空間）を形成できる程度に設定されている。これに伴って、立ち上がり部１２は、コーナー用外壁材５の下端部に設けられる水切り部材を取り付けるための取付下地１２ａを有する。
【００３５】
なお、取付下地１２ａは、図３，図４に示すように、立ち上がり部１２の外側面に対して溶接等によって固定されており、さらに、ｘ方向およびｙ方向に沿う外側の面が、出隅コーナー部１に対応して平面視略Ｌ字状に形成されている。
そして、図示しない水切り部材は、当該取付下地１２ａの外側の面に対して取り付けられている。換言すれば、この水切り部材も、出隅コーナー部１に対応して平面視略Ｌ字状に形成されているものとする。なお、図示はしないが、水切り部材のｘ方向側の端部およびｙ方向側の端部には、平板状の外壁材７の下端部に取り付けられた水切り部材が連続して設けられる。
【００３６】
第一固定部１３は、図２〜図３に示すように、平面視において矩形状に形成された板状体である。そして、この第一固定部１３は、立ち上がり部１２の上端部に設けられるとともにコーナー用外壁材５の下端面に固定されている。
より詳細に説明すると、第一固定部１３は、立ち上がり部１２の上端部のうち、ｘ方向側の端部とｙ方向側の端部に寄った位置に一体形成されている。そして、立ち上がり部１２の上端部から屋外側に向かって水平に突出している。
第一固定部１３のそれぞれには、後述するボルト１３ａが通される孔部１３ｂが、当該第一固定部１３を厚さ方向に貫通して形成されている。
【００３７】
コーナー用外壁材５の下端面のうち建物躯体側（すなわち、基礎２や柱３がある側・建物内部側）に、下方に向かって開口するとともに建物躯体側に開口する凹部５ａが形成されている。また、この凹部５ａは、隣り合う平板状の外壁材７側には開口していない。
凹部５ａは、コーナー用外壁材５の下端面に形成された凹みであり、コーナー用外壁材５の形状に対応して、略Ｌ字状の凹みとして形成されている。凹部５ａは、コーナー用外壁材５の下端面に形成される凹みであるため、当該凹部５ａにおける上面５ｂ（コーナー用外壁材５の下端面を下方から見上げた時に見える面）が、コーナー用外壁材５の最下端面よりも上方に位置している。
そして、第一外壁ブラケット１０における第一固定部１３は、凹部５ａにおける上面５ｂに対して固定されている。ここで、上述のように、凹部５ａが下方に向かって開口するとともに建物躯体側に開口しているため、第一固定部１３を、上面５ｂに支障なく取り付けできる。
【００３８】
以上のように構成された第一外壁ブラケット１０は、建物躯体のうち、基礎２の上面に対して取り付けられている。そして、第一固定部１３は、下階側に位置するコーナー用外壁材５の下端面に固定され、当該下階側のコーナー用外壁材５を下方から支持している。
より具体的に説明すると、躯体取付部１１の延出部１１ａにおける孔部１１ｂと、ベースプレート３ａのうち屋外側に配置された二つのネジ孔３ｂの位置とを合致させる。そして、ボルト３ｃを、延出部１１ａの孔部１１ｂに通すとともに、ベースプレート３ａのネジ孔３ｂにねじ込む。これによって、延出部１１ａをベースプレート３ａに固定でき、延いては、第一外壁ブラケット１０自体を、ベースプレート３ａを介して基礎２に取り付けることができる。
さらに、第一固定部１３の、凹部５ａにおける上面５ｂへの固定は、図４に示すようにボルト１３ａによって行われる。すなわち、凹部５ａにおける上面５ｂのうち、第一固定部１３の孔部１３ｂに対応する位置には、図示しない雌ネジ部が設けられている（例えばナットが埋設されている）。そして、第一固定部１３を凹部５ａにおける上面５ｂに固定する際は、第一固定部１３を凹部５ａにおける上面５ｂに当接させてから、ボルト１３ａを、第一固定部１３の孔部１３ｂに通すとともに、図示しない雌ネジ部にねじ込む。
これによって、建物一階において、コーナー用外壁材５の下端部を出隅コーナー部１に取り付けることができる。
【００３９】
次に、第二外壁ブラケット２０の詳細について説明する。
この第二外壁ブラケット２０は、図１に示すように、特に、建物上階のコーナー用外壁材６の下端部を出隅コーナー部１に取り付けるとともに、下階のコーナー用外壁材５の上端部を出隅コーナー部１に取り付けるためのものである。したがって、この第二外壁ブラケット２０は、上下階方向に隣り合うコーナー用外壁材５，６の境界部分に対応して配置されている。
また、第二外壁ブラケット２０は、金属製であり、躯体取付部２１と、立ち上がり部２２と、第一固定部２３と、第二固定部２４と、を備える。
【００４０】
躯体取付部２１は、図５，図６に示すように、平面視において略Ｌ字状に形成された板状体である。そして、この躯体取付部２１は、出隅コーナー部１に位置する柱３を除く建物躯体に取り付けられている。
より詳細に説明すると、躯体取付部２１は、ｘ方向とｙ方向に延在する平面視Ｌ字状の本体部と、この本体部のｘ方向側端部およびｙ方向側端部のそれぞれから、出隅コーナー部１に位置する建物躯体（すなわち、天井梁４，４）の芯線Ｃ，Ｃに向かって延出する延出部２１ａと、を有する。
延出部２１ａは建物躯体に固定されるものであり、本実施形態では、出隅コーナー部１において直交する一方の天井梁４と他方の天井梁４のそれぞれに対して固定されている。なお、これら延出部２１ａは、双方の天井梁４の上端部にあるフランジ部の下面に固定されている。
延出部２１ａには、当該延出部２１ａを厚さ方向に貫通する孔部２１ｂが形成されている。これら孔部２１ｂが形成された位置は、天井梁４のフランジに形成された貫通孔４ａのいずれかの位置と合致する。そして、ボルト４ｂが、孔部２１ｂと貫通孔４ａに通されるとともに、ナット４ｃが設けられて締め付けられることによって、延出部２１ａが天井梁４に固定される。
【００４１】
立ち上がり部２２は、図５，図６に示すように、躯体取付部２１の外側端部に、上方に突出して設けられるとともに建物躯体から離間した位置に配置されており、躯体取付部２１と分離可能に構成されている。
より詳細に説明すると、立ち上がり部２２は、躯体取付部２１の外側端部に載置されて連結される平面視略Ｌ字状の連結部２２ａと、この連結部２２ａにおける出隅部分の縁部に一体形成された平面視アングル状の本体部２２ｂと、を有する。
連結部２２ａのｘ方向およびｙ方向の長さは、躯体取付部１１の本体部におけるｘ方向およびｙ方向の長さよりも短く設定されている。
立ち上がり部２２の本体部２２ｂの位置は、連結部２２ａにおける出隅部分の縁部の位置に対応していると同時に、躯体取付部２１における出隅部分の縁部の位置にも対応している。換言すれば、躯体取付部２１における出隅部分の縁部の直上に、連結部２２ａにおける出隅部分の縁部が位置するようにして、立ち上がり部２２が躯体取付部２１の上面に配置されている。
そして、立ち上がり部２２の連結部２２ａは、躯体取付部２１に対してボルト２２ｃ・ナットで固定されている。なお、連結部２２ａと躯体取付部２１の双方には、ボルト２２ｃが通される位置に貫通孔（図示せず）が形成されている。すなわち、このボルト２２ｃを取り外せば、立ち上がり部２２を、躯体取付部２１から分離させることができる。
ここで、コーナー用外壁材６の内側面（コーナー用外壁材６の入隅部分を形成する面）は、図５に示すように、立ち上がり部２２を柱３側に越えないように構成されており、コーナー用外壁材６の内側面と柱３との間に、建物一階と同様に隙間Ｓ１を形成できる。このような隙間Ｓ１には、柱３を全周に亘って被覆する耐火被覆材を設けるために利用できる。
【００４２】
第一固定部２３は、図５，図６に示すように、平面視において矩形状に形成された板状体である。そして、この第一固定部２３は、立ち上がり部２２の上端部に設けられるとともにコーナー用外壁材６の下端面に固定されている。
より詳細に説明すると、第一固定部２３は、立ち上がり部２２における本体部２２ｂの上端部のうち、ｘ方向側の端部とｙ方向側の端部に寄った位置に一体形成されている。そして、この本体部２２ｂの上端部から屋外側に向かって水平に突出している。
第一固定部２３のそれぞれには、後述するボルト２３ａが通される孔部２３ｂが、当該第一固定部２３を厚さ方向に貫通して形成されている。
【００４３】
コーナー用外壁材６の下端面のうち建物躯体側（すなわち、天井梁４がある側・建物内部側）には、下方に向かって開口するとともに建物躯体側に開口する凹部６ａが形成されている。また、この凹部６ａは、隣り合う平板状の外壁材８側には開口していない。
凹部６ａは、コーナー用外壁材６の下端面に形成された凹みであり、その上面６ｂに第一固定部２３が固定される。この凹部６ａの構成は、下階に位置するコーナー用外壁材５の下端面に形成された凹部５ａと同一であるため、説明を省略する。
【００４４】
第二固定部２４は、図６，図７に示すように、第一固定部２３の下方に設けられ、かつ下階側に位置するコーナー用外壁材５の上端面に固定される。
また、第二固定部２４は、躯体取付部２１の外側端部における下面に連結されている。そのため、第一固定部２３の下方に設けられるだけでなく、立ち上がり部２２の下方にも位置している。
このような第二固定部２４は、連結部２４ａと、保持部２４ｂと、本体部２４ｃと、を有する。
連結部２４ａは、平面視略Ｌ字状に形成され、かつ躯体取付部２１における出隅部分の下面側縁部に一体形成されている。また、この連結部２４ａのｘ方向およびｙ方向の長さは、立ち上がり部２２のｘ方向およびｙ方向の長さよりも若干長い程度に設定されている。
保持部２４ｂは、本体部２４ｃを保持するためのものであり、連結部２４ａのｘ方向側面およびｙ方向側面のそれぞれに固定されている。この保持部２４ｂは、平面視または断面視において所謂ハット型に形成されており、連結部２４ａの側面との間に本体部２４ｃを差し込む隙間が形成された状態となっている。
本体部２４ｃは、連結部２４ａの側面と保持部２４ｂとの間の隙間に差し込まれる差込部２４ｄと、この差込部２４ｄの上端部から屋外側に向かって水平に突出する突出部２４ｅと、からなる。突出部２４ｅには、後述するボルト２４ｆが通される孔部（図示せず）が、当該突出部２４ｅを厚さ方向に貫通して形成されている。
【００４５】
コーナー用外壁材５の上端面のうち建物躯体側（すなわち、天井梁４がある側・建物内部側）に、上方に向かって開口するとともに建物躯体側に開口する凹部５ｃが形成されている。また、この凹部５ｃは、隣り合う平板状の外壁材７側には開口していない。
凹部５ｃは、コーナー用外壁材５の上端面に形成された凹みであり、コーナー用外壁材５の形状に対応して、略Ｌ字状の凹みとして形成されている。凹部５ｃは、コーナー用外壁材５の上端面に形成される凹みであるため、当該凹部５ｃにおける底面５ｄが、コーナー用外壁材５の最上端面よりも下方に位置している。
そして、第二外壁ブラケット２０における第二固定部２４は、凹部５ｃにおける底面５ｄに対して固定されている。ここで、上述のように、凹部５ｃが下方に向かって開口するとともに建物躯体側に開口しているため、第二固定部２４を、底面５ｄに支障なく取り付けできる。
なお、凹部５ｃにおける底面５ｄのうち、第二固定部２４の本体部２４ｃにおける突出部２４ｅに形成された孔部に対応する位置には、図示しない雌ネジ部が設けられている（例えばナットが埋設されている）。
【００４６】
以上のように構成された第二外壁ブラケット２０は、建物躯体のうち、下階側に立設される複数の柱３の上端部に設けられる天井梁４に対して取り付けられている。そして、第一固定部２３は、上階側に位置するコーナー用外壁材６の下端面に固定され、当該上階側のコーナー用外壁材６を下方から支持している。さらに、第二固定部２４は、下階側に位置するコーナー用外壁材５の上端面に固定され、当該下階側に位置するコーナー用外壁材５を上方から押さえている。
なお、立ち上がり部２２（および第一固定部２３）は、予め躯体取付部２１から分離させておく。そして、下階側に位置するコーナー用外壁材５を出隅コーナー部１に取り付けた後に、再び、躯体取付部２１に連結する。
【００４７】
より具体的に説明すると、躯体取付部２１の延出部２１ａにおける孔部２１ｂと、天井梁４のフランジに形成された貫通孔４ａの位置とを合致させる。そして、ボルト４ｂを、延出部２１ａの孔部２１ｂに通すとともに、ナット４ｃを設けて締め付けることによって、延出部２１ａを天井梁４に固定できる。
さらに、第二固定部２４の本体部２４ｃを、当該本体部２４ｃにおける差込部２４ｄを保持部２４ｂの隙間に差し込むことによって装着する。そして、本体部２４ｃにおける突出部２４ｅの孔部と、コーナー用外壁材５の上端面に形成された凹部５ｃの雌ネジ部の位置とを合致させ、ボルト２４ｆによって留め付ける。
これによって、建物一階において、コーナー用外壁材５の上端部を出隅コーナー部１に取り付けることができる。
【００４８】
上階側に位置するコーナー用外壁材６の凹部６ａにおける上面６ｂに、第一固定部２３を当接させてから、ボルト２３ａを、第一固定部２３の孔部２３ｂに通すとともに、図示しない雌ネジ部にねじ込む。これによって、立ち上がり部２２を、第一固定部２３を介して上階側に位置するコーナー用外壁材６の下端面に取り付けた状態とすることができる。
このような状態の立ち上がり部２２を、躯体取付部２１に連結する。すなわち、立ち上がり部２２の連結部２２ａを、躯体取付部２１に対してボルト２２ｃ・ナットで固定する。これによって、建物の上階において、コーナー用外壁材６の下端部を出隅コーナー部１に取り付けることができる。
【００４９】
なお、上階側に位置するコーナー用外壁材６の上端部は、下階側に位置するコーナー用外壁材５の上端部と同様の工程で出隅コーナー部１に取り付けることができる。
すなわち、上階側に位置するコーナー用外壁材６の上端部の取り付けは、第二外壁ブラケット２０を利用して行うことができ、立ち上がり部２２および第一固定部２３を躯体取付部２１から分離させた状態のものを用いる。
【００５０】
以上のような第一外壁ブラケット１０および第二外壁ブラケット２０の構成を鑑みれば、第一外壁ブラケット１０は特に建物一階に設けられるコーナー用外壁材５の下端部に対応するものである。そして、第二外壁ブラケット２０は、上下階方向に隣り合うコーナー用外壁材５，６間や、最上部に設けられるコーナー用外壁材の上端部に対応するものである。
すなわち、第一外壁ブラケット１０と、第二外壁ブラケット２０の、立ち上がり部２２を躯体取付部２１から分離させたパターンと、立ち上がり部２２を躯体取付部２１に連結したパターンとを駆使すれば、コーナー用外壁材５，６を出隅コーナー部１に対して確実に取り付けることができる。
【００５１】
なお、平板状の外壁材７，８の下端部も専用の外壁ブラケット３０を用いることによって建物躯体に取り付けられている。図４に示す外壁ブラケット３０は、ベースプレート３ａに固定される固定部３１と、この固定部３１に対して一体的に設けられ、かつ平板状の外壁材７の下端部が固定されて当該外壁材７を支持する支持部３２と、を備える。
この外壁ブラケット３０の場合も、基礎２や柱３と共に建物躯体の一部として機能するベースプレート３ａに対して固定されるので、柱にかかる負担を軽減する上で好ましい。
なお、平板状の外壁材７，８の上端部は、図示しない外壁ブラケットによって天井梁４に取り付けられている。
【００５２】
本実施の形態によれば、躯体取付部１１，２１が、出隅コーナー部１に位置する柱３を除く建物躯体に取り付けられて、第一固定部１３，２３がコーナー用外壁材５，６の下端面に固定されるので、コーナー用外壁材５，６の少なくとも下端部は、出隅コーナー部１に位置する柱３の側面に設けられないことになる。これによって、出隅コーナー部１に位置する柱３における下端部の側面は、コーナー用外壁材５，６の荷重を受けずに済むので、当該柱３にかかる負担を軽減することができる。
なお、本実施形態の場合、躯体取付部１１，２１を取り付ける方向が下向きとなっている。したがって、出隅コーナー部１に位置する柱３における下端部の側面に対して、コーナー用外壁材５，６の荷重がかかることを確実に防ぐことができる。
【００５３】
さらに、立ち上がり部１２，２２が、躯体取付部１１，２１の外側端部に、上方に突出して設けられるとともに建物躯体から離間した位置に配置され、この立ち上がり部１２，２２の上端部に第一固定部１３，２３が設けられるので、コーナー用外壁材５，６を建物躯体から離間させて配置することが可能となる。これによって、コーナー用外壁材５，６と建物躯体との間に隙間Ｓ１を確保でき、この隙間Ｓ１を利用すれば、耐火被覆材を取り付けやすくなる。
【００５４】
また、第一固定部１３，２３が立ち上がり部１２，２２の上端部に設けられるので、コーナー用外壁材５，６の下端部を、躯体取付部１１，２１よりも上方に配置できる。そのため、コーナー用外壁材５，６の下端部を、躯体取付部１１，２１が取り付けられた箇所よりも高い位置に配置できる。これによって、例えば、コーナー用外壁材５，６の下端面の下方に、第一固定部１３，２３を固定する作業を行うための空間（隙間Ｓ２）を確保することができるので、コーナー用外壁材５，６の取付作業を容易に行うことができる。さらに、当該空間を利用して、コーナー用外壁材５，６の下端部に、例えば水切り部材等の付属部材を容易に取り付けることができる。
【００５５】
また、第一固定部１３，２３は、コーナー用外壁材５，６の下端面のうち建物躯体側に、下方に向かって開口するとともに建物躯体側に開口する凹部５ａ，６ａにおける上面５ｂ，６ｂに対して固定されるので、外壁ブラケット１０，２０のうち少なくとも第一固定部１３，２３を凹部５ａ，６ａ内に収容できる。これによって、外壁ブラケット１０，２０のうち少なくとも第一固定部１３，２３を、外側から見えないように隠すことができるので、見映えが良い。
【００５６】
また、躯体取付部１１，２１は、出隅コーナー部１に位置する建物躯体の芯線Ｃに向かって延出する延出部１１ａ，２１ａを有し、当該延出部１１ａ，２１ａが建物躯体に固定されるので、延出部１１ａ，２１ａは建物内部側に極力近づいた状態となっており、建物内部側から延出部１１ａ，２１ａの固定作業を行いやすい。また、例えば、予め第一固定部１３，２３が下端面に固定された状態のコーナー用外壁材５，６を、建物内部側から施工することも可能となり、施工性に優れる。
【００５７】
また、立ち上がり部１２は、コーナー用外壁材５の下端部に設けられる水切り部材を取り付けるための取付下地１２ａを有するので、コーナー用外壁材５の下端部に水切り部材を確実に設けることができる。
【００５８】
また、外壁ブラケット１０は、基礎２の上面に対して取り付けられており、第一固定部１３は、下階側に位置するコーナー用外壁材５の下端面に固定され、当該下階側のコーナー用外壁材５を下方から支持するので、下階（建物一階）に位置するコーナー用外壁材５の下端部を、外壁ブラケット１０を介して基礎２に確実に取り付けることができる。
【００５９】
また、外壁ブラケット２０は、建物躯体のうち、下階側に立設される複数の柱３の上端部に設けられる天井梁４に対して取り付けられており、第一固定部２３は、上階側に位置するコーナー用外壁材６の下端面に固定され、当該上階側のコーナー用外壁材６を下方から支持するので、上階側に位置するコーナー用外壁材６の下端部を、外壁ブラケット２０を介して天井梁４に確実に取り付けることができる。
【００６０】
また、外壁ブラケット２０が、第一固定部２３の下方に設けられ、かつ下階側に位置するコーナー用外壁材５の上端面に固定される第二固定部２４を備えるので、建物が複数階建てである場合に、第一固定部２３を上階側に位置するコーナー用外壁材６の下端面に固定でき、第二固定部２４を下階側に位置するコーナー用外壁材５の上端面に固定できる。したがって、上下階方向に隣り合うコーナー用外壁材５，６間に、下階側に位置するコーナー用外壁材５のための別の外壁ブラケットを用意する必要がない。すなわち、一つの外壁ブラケット２０を上下階側のそれぞれのコーナー用外壁材５，６に対応させることができるので、利便性に優れ、コストの低減を図ることができる。
また、第二固定部２４は、第一固定部２３の下方に設けられるので、第一固定部２３と共に、コーナー用外壁材５，６を建物躯体から離間させて配置することが可能となる。
【００６１】
〔変形例〕
なお、本発明を適用可能な実施形態は、上述した実施形態に限定されることなく、本発明の趣旨を逸脱しない範囲で適宜変更可能である。以下、変形例について説明する。
【００６２】
例えば、バルコニーや外廊下を支持する梁を建物の外周部から突出させて設ける場合や、開口部を挟んで対向する外壁間に化粧梁を架設する場合がある。
図８，図９は、開口部Ｋを挟んで対向する外壁４０間に化粧梁を架設する場合の例を示しており、図８，図９における符号４１は、外壁４０内に配置され、かつ化粧梁（図示せず）が連結される梁であり、この梁４１は柱３によって支持されている。梁４１には、Ｈ形鋼またはＩ形鋼等の鋼材が採用されており、フランジには複数の貫通孔４１ａが形成されている。すなわち、この梁４１が、本変形例における建物躯体に相当する。
なお、化粧梁は、梁４１に連結される芯となる梁材と、当該梁材を全周に亘って被覆する耐火被覆材と、耐火被覆材の上から被覆される化粧材と、を備える。
【００６３】
また、外壁４０は、開口部Ｋの縁に相当し、かつ開口部Ｋに面する位置に、コーナー用外壁材４２〜４５が左右および上下に隣り合って設けられている。
これらコーナー用外壁材４２〜４５には、化粧梁が設けられる位置に対応して切欠部４６ａ〜４６ｄが形成されている。すなわち、コーナー用外壁材４２には切欠部４６ａが形成されており、コーナー用外壁材４３には切欠部４６ｂが形成されており、コーナー用外壁材４４には切欠部４６ｃが形成されており、コーナー用外壁材４５には切欠部４６ｄが形成されている。
そして、コーナー用外壁材４２〜４５を適切な位置に取り付けることで、切欠部４６ａ〜４６ｄを組み合わせてなる開口部４６を形成することができ、この開口部４６には化粧梁が通される。
開口部４６は、化粧材まで設けられて仕上げられた状態の化粧梁が挿通可能な大きさに設定されている。なお、化粧梁を被覆する耐火被覆材は、当該化粧梁と外壁４０との境界部分における耐火性能を向上させるために、外壁４０の内部まで挿入される。
【００６４】
梁４１の開口部Ｋ側端部には、当該４１の長さ方向に直交する左右両側部のそれぞれに外壁ブラケット５０が設けられている。この外壁ブラケット５０は、上述した第二外壁ブラケット２０の変形例である。
したがって、本変形例の外壁ブラケット５０は、躯体取付部５１と、立ち上がり部５２と、第一固定部５３と、第二固定部５４と、を備える。
【００６５】
躯体取付部５１は、梁４１の長さ方向に沿って長尺に形成されている。そして、この躯体取付部５１は、その長さ方向両端部に設けられ、かつ梁４１に向かって延びる延出部５１ａを有する。
延出部５１ａは、梁４１のフランジに形成された貫通孔４１ａの位置に合致し、ボルト・ナットによって固定される。
【００６６】
立ち上がり部５２は、躯体取付部５１と連結される矩形板状の連結部５２ａと、この連結部５２ａの開口部Ｋ側縁部と外側縁部に一体形成されて上方に突出する本体部５２ｂと、を有する。
連結部５２ａは、ボルト・ナットによって躯体取付部５１に連結されており、躯体取付部５１から分離可能となっている。
本体部５２ｂは、平面視においてアングル状に形成されており、その上端部に、第一固定部５３，５３がそれぞれ一体形成されている。すなわち、本体部５２ｂの上端部には、二つの第一固定部５３，５３が一体形成されている。
【００６７】
二つの第一固定部５３のうち一方は、開口部Ｋに向かって水平に突出しており、他方は、一方の第一固定部５３と直交する側方に向かって水平に突出している。また、これら第一固定部５３，５３のそれぞれには孔部５３ａが貫通形成されている。
また、二つの第一固定部５３のうち一方の第一固定部５３は、開口部４６から化粧梁を挿入するためのスペースを確保するために、図９に示すように、他方の第一固定部５３よりも上方に配置されている。
【００６８】
第二固定部５４は、躯体取付部５１の下面に一体に設けられるとともに、側方に突出する第一固定部５３の下方に配置されている。
この第二固定部５４は、下方に位置するコーナー用外壁材４２，４３の上端面に固定される本体部５４ｃを有する。この本体部５４ｃにはボルトを通すための孔部が貫通形成されている。
【００６９】
図９において左上に位置するコーナー用外壁材４４の下端面には、一方の第一固定部５３（開口部Ｋ側に突出する方）に対応する凹部４４ａと、他方の第一固定部５３（側方に突出する方）に対応する凹部４４ｂが形成されている。これら凹部４４ａ，４４ｂのうち、一方の第一固定部５３に対応する凹部４４ａは、他方の第一固定部５３に対応する凹部４４ｂよりも高い位置まで凹むように形成されている。
右上に位置するコーナー用外壁材４５の場合は、左上のコーナー用外壁材４４と対称に凹部４５ａ，４５ｂが形成されている。
また、図９において左下および右下に位置するコーナー用外壁材４２，４３の上端面には、第二固定部５４に対応する凹部４２ａ，４３ａが形成されている。
【００７０】
以上のような外壁ブラケット５０は、梁４１に対して取り付けられている。
そして、第一固定部５３は、左上および右上に位置するコーナー用外壁材４４，４５の下端面に、凹部４４ａ，４４ｂ・４５ａ，４５ｂに対応するようにして固定され、当該左上および右上に位置するコーナー用外壁材４４，４５を下方から支持している。
さらに、第二固定部５４は、左下および右下に位置するコーナー用外壁材４２，４３の上端面に、凹部４２ａ，４３ａに対応するようにして固定され、当該左下および右下に位置するコーナー用外壁材４２，４３を上方から押さえている。
【００７１】
なお、左下のコーナー用外壁材４２と、右下のコーナー用外壁材４３と、左上のコーナー用外壁材４４は、各凹部４２ａ・４３ａ・４４ａ，４４ｂに設けられた図示しない雌ネジ部に対してボルト留めされている。このボルト留めの作業は、コーナー用外壁材４２，４３，４４間の隙間から手や工具を差し入れて行うことができる。
すなわち、外壁ブラケット５０の第二固定部５４を利用すれば、左下のコーナー用外壁材４２の上端部と右下のコーナー用外壁材４３の上端部を、外壁ブラケット５０を介して梁４１に容易に取り付けることができる。
また、外壁ブラケット５０の立ち上がり部５２を躯体取付部５１から分離させる要領で（第二外壁ブラケット２０の場合と同様の要領で）作業を行うことで、左上のコーナー用外壁材４４の下端部を、外壁ブラケット５０を介して梁４１に容易に取り付けることができる。
【００７２】
一方、右上のコーナー用外壁材４５は、コーナー用外壁材４２〜４５のうち、最後に取り付けられるコーナー用外壁材であるため、隙間から手や工具を差し入れてボルト留めを行うことができない。そこで、コーナー用外壁材４５の凹部４５ａ，４５ｂのそれぞれには、下方に突出するピン４５ｃが設けられている。
すなわち、右上のコーナー用外壁材４５の下端部を、外壁ブラケット５０を介して梁４１に取り付ける際は、第一固定部５３に形成された孔部５３ａに対してピン４５ｃを差し込む方法が採られている。これによって、右上のコーナー用外壁材４５の下端部を、外壁ブラケット５０を介して梁４１に容易に取り付けることができる。
【００７３】
以上のような変形例によれば、コーナー用外壁材４２〜４５を、梁４１を支持する柱の側面ではなく、外壁ブラケット５０を介して梁４１に取り付けることができるので、梁４１を支持する柱にかかる負担を軽減できる。
さらに、立ち上がり部５２と第一固定部５３、第二固定部５４は、梁４１から離間した位置に配置されているので、梁４１との間に隙間を形成できる。そして、この隙間を利用すれば、耐火被覆材を取り付けやすくなる。
【符号の説明】
【００７４】
１  出隅コーナー部
２  基礎
３  柱
３ａ  ベースプレート
４  天井梁
５  コーナー用外壁材
５ａ  凹部
６  コーナー用外壁材
６ａ  凹部
１０  第一外壁ブラケット
１１  躯体取付部
１１ａ  延出部
１２  立ち上がり部
１３  第一固定部
２０  第二外壁ブラケット
２１  躯体取付部
２１ａ  延出部
２２  立ち上がり部
２３  第一固定部
２４  第二固定部
５０  外壁ブラケット
５１  躯体取付部
５１ａ  延出部
５２  立ち上がり部
５３  第一固定部
５４  第二固定部
Ｃ  芯線
Ｓ１，Ｓ２  隙間
【図１】
0006371257.tif 000002
【図２】
0006371257.tif 000003
【図３】
0006371257.tif 000004
【図４】
0006371257.tif 000005
【図５】
0006371257.tif 000006
【図６】
0006371257.tif 000007
【図７】
0006371257.tif 000008
【図８】
0006371257.tif 000009
【図９】
0006371257.tif 000010